(57)【要約】【課題】  放熱性を維持した状態で防水性も高く、軽量で広範なデザイン性を有し、透明化又は半透明化も可能な防水形導光表示板の放熱構造の提供を目的とする。【解決手段】  導光板１１の側面側から照明光を入射することで導光板１１の表面に文字や図形を表示させる導光表示板１の放熱構造において、導光板１１に形成され、発光体１２を収容する有底の発光体収容溝１３又は発光体収容孔と、発光体収容溝１３又は発光体収容孔の外周囲に配置された防水部材１５ｃと、この防水部材１５ｃを導光板１１との間で挟持することで発光体収容溝１３又は発光体収容孔に水が浸入しないようにする挟持部材１５と、この挟持部材１５に形成され、発光体収容溝１３又は発光体収容孔に連通する有底の放熱溝１５ａ又は放熱孔と、発光体収容溝１３又は発光体収容孔から放熱溝１５ａ又は放熱孔まで延伸する放熱部材１６とを有する。【選択図】  図１
2019070783.tif 000002
【特許請求の範囲】
【請求項１】
導光板の側面側から照明光を入射することで前記導光板の表面に文字や図形を表示させる導光表示板の放熱構造において、
前記導光板に形成され、前記発光体を収容する有底の発光体収容溝又は発光体収容孔と、
前記発光体収容溝又は発光体収容孔の外周囲に配置された防水部材と、
この防水部材を前記導光板との間で挟持することで前記発光体収容溝又は発光体収容孔に水が浸入しないようにする挟持部材と、
この挟持部材に形成され、前記発光体収容溝又は発光体収容孔に連通する有底の放熱溝又は放熱孔と、
前記発光体収容溝又は発光体収容孔から前記放熱溝又は放熱孔まで延伸する放熱部材と、
を有することを特徴とする防水形導光表示板の放熱構造。
【請求項２】
前記放熱溝又は放熱孔の底部を薄肉に形成して放熱部とし、この放熱部の肉厚を発熱量と放熱量が均等になる寸法としたことを特徴とする請求項１に記載の防水形導光表示板の放熱構造。
【請求項３】
水分が浸入しない方向の前記防水部材の一部を開放した開放部分を形成したことを特徴とする請求項１又は２に記載の防水形導光表示板の放熱構造。
【請求項４】
前記開放部分に前記放熱溝又は放熱孔の一部又は全部を連通させたことを特徴とする請求項３に記載の防水形導光表示板の放熱構造。
【請求項５】
前記放熱溝又は放熱孔の底部の一部又は全部に、放熱部材を埋設したことを特徴とする請求項１〜４のいずれかに記載の防水形導光表示板の放熱構造。
【発明の詳細な説明】
【技術分野】
【０００１】
本発明は、導光板の側面側から照明光を入射することで前記導光板の表面に文字や図形を表示させる導光表示板の放熱構造に関し、特に導光板の外周縁に防水部材を設けた防水形導光表示板の放熱構造に関する。
【背景技術】
【０００２】
この種の導光表示板の一般的な構成を図５に示す。図５（ａ）は導光表示板の本体の分解斜視図、（ｂ）は（ａ）の本体の組立体の側面断面図、（ｃ）は前記本体をケース内に収容した導光表示板の側面断面図である。
導光表示板２の本体２０は、アクリルやガラス等の透光体で形成された導光板２１と、この導光板２１の周囲に嵌装された放熱板を兼ねる断面コの字状のカバー２３と、このカバー２３の底部と導光板２１の側面との間に配置された蛍光灯やＬＥＤ等の発光体２２とを備えている。導光板２１の一面側（図５（ｂ）の導光板２１においては下面側）には、発光体２２の照明光を導光板２１の他面側に向けて反射する反射板２６と、この反射板２６の表面又は導光板２１の前記一面に形成され、照明光の反射によって文字や図形等を導光板２１の他面に表示させるための画像部２４が形成されている。このような構成の導光表示板２の本体２０は、例えば特許文献１，２に記載されているように公知のものである。
【０００３】
導光表示板２は、上記構成の本体２０を箱状のケース２５内に収容して構成される。ケース２５は、少なくとも文字や図形等が表示される正面部分がアクリル等の透明な部材で形成されたケース本体２５ａと、このケース本体２５ａの一側に取り付けられ、ケース本体２５ａを密閉する裏蓋２５ｂとを備える。導光表示板を屋外に設置するような場合は、雨天時等における水の浸入を防止するために、ケース本体２５ａと裏蓋２５ｂとの間にパッキン２５ｃが設けられる。このような放熱構造も特許文献３〜６に記載されているように周知のものである。
【先行技術文献】
【特許文献】
【０００４】
【特許文献１】実用新案登録第３１９５０６１号公報（図面の図３参照）
【特許文献２】特許第４７２４８７２号公報（図面の図２参照）
【特許文献３】特開２０００−３３８９０８号公報（図面の図７参照）
【特許文献４】特開２００７−４１６２２号公報（図面の図３参照）
【特許文献５】特開２００７−４１６２２号公報（図面の図３参照）
【特許文献６】実用新案登録第３１５２６１４号公報（図面の図２参照）
【特許文献７】特開２０１５−３２４６１号公報（段落００４２の記載及び図面の図１，図３，図４参照）
【発明の概要】
【発明が解決しようとする課題】
【０００５】
このように特許文献３〜６に記載の放熱構造は、導光表示板２の本体２０をそれよりも大きいケース２５に収容するものであるため、導光表示板２の表示面が相対的に小さくなるという問題がある。また、構成も複雑になることから価格も高くなるうえ、装飾的な表示面に対して非装飾的な周囲構造物の割合が相対的に大きく、看板の表示効果上も好ましくないという問題がある。
そこで特許文献７に記載の導光表示板（ＬＥＤサインパネル）３は、図６（ａ）（ｂ）に示すように導光板（パネル材）３１の外周縁近傍に発光体（ＬＥＤ発光体）３２を挿入する溝３３を形成し、アルミ板（ヒートシンク部）３５で導光板３１の背面の全面を覆うようにしている。そして、溝３３より外側でアルミ板３５と導光板３１との間にパッキン３５ｃを介在させて放熱構造を形成している。さらに、このような密閉状の放熱構造とすると、発光体３２の放熱が問題となるため、アルミ板３５の一部に突起状の挿入部３５ｃを形成して溝３３内の発光体３２に接触させ、発光体３２の熱をアルミ板３５から外部に放熱できるようにしている。なお、この文献に記載の導光表示板３では、放熱及び防水のためのアルミ板３５を反射板としても利用している。
【０００６】
しかしながら、近年では非発光時に導光板が透明又は半透明になる導光表示板も普及しつつあるが、特許文献７に記載された導光表示板のようにアルミ板などの金属板で導光板の裏面の全面を覆ってしまうと導光板を透明又は半透明とすることができず、このような導光表示板には適用することができないという問題がある。また、放熱のための金属板を導光板の裏面全体に設けているため、導光表示板の重量が重くなるという問題がある。また、看板全体のデザインも制限されるという問題がある。
【０００７】
本発明はこのような問題に鑑みてなされたもので、アルミ板など放熱性の高い金属板で導光板の裏面の全面を覆う必要がなく、高い放熱性を維持した状態で防水性も高く、軽量で広範なデザイン性を有し、透明化又は半透明化も可能な防水形導光表示板の放熱構造の提供を目的とする。
【課題を解決するための手段】
【０００８】
上記課題を解決するために請求項１に記載の防水形導光表示板の放熱構造は、導光板の側面側から照明光を入射することで前記導光板の表面に文字や図形を表示させる防水形導光表示板の放熱構造において、前記導光板に形成され、前記発光体を収容する有底の発光体収容溝又は発光体収容孔と、前記発光体収容溝又は発光体収容孔の外周囲に配置された防水部材と、この防水部材を前記導光板との間で挟持することで前記発光体収容溝又は発光体収容孔に水が浸入しないようにする挟持部材と、この挟持部材に形成され、前記発光体収容溝又は発光体収容孔に連通する有底の放熱溝又は放熱孔と、前記発光体収容溝又は発光体収容孔から前記放熱溝又は放熱孔まで延伸する放熱部材とを有する構成としてある。請求項２に記載するように、前記放熱溝又は放熱孔の底部を薄肉に形成して放熱部とし、この放熱部の肉厚を発熱量と放熱量が均等になる寸法とするとよい。
前記挟持部材は、防水性の材料で形成されていればよく、金属、樹脂、ガラス、木材またはこれらの複合体等の材質は問わない。透明又は半透明な樹脂やガラスで形成された透光性のものが好ましい。また前記挟持部材は防水部材で囲まれた領域を覆うものであれば前記導光板の一部のみを覆うものであってもよい。
【０００９】
この構成によれば、前記挟持部材の放熱溝又は放熱孔の底部を通して放熱が行われ、かつ、導光板と透光性を有する挟持部材と防水部材とで防水形導光表示板の放熱構造が形成されるので、防水形導光表示板より大きなケースは不要となり、かつ、軽量で透明化又は半透明化も可能である。
前記防水部材は、必ずしも前記発光体収容溝又は発光体収容孔の周りを囲む閉じた環状である必要は無く、請求項３に記載するようにその一部が開放されたものであってもよい。例えば、前記防水形導光表示板を常に立てた状態で設置する場合は、下方の一部を開放してもよい。そして、請求項４に記載するように、前記開放部分に前記放熱溝又は放熱孔の一部又は全部を連通させ、前記放熱溝又は前記放熱孔から外気に放熱を行えるようにしてもよい。
さらに、請求項５に記載するように、前記放熱溝又は放熱孔の底部の一部又は全部に、熱伝導性の良いアルミ板などの放熱部材を埋設してもよい。
【発明を実施するための最良の形態】
【００１０】
以下、本発明の好適な実施形態について図面を参照しながら詳細に説明する。
図１は本発明の第一の実施形態にかかる防水形導光表示板（以下、導光表示板と記載）の放熱構造の構成を説明する分解斜視図、図２（ａ）は図１の導光表示板の断面図、（ｂ）は放熱部分の他の実施形態を示す部分拡大断面図、（ｃ）はさらに別の実施形態を示す部分拡大断面図、（ｄ）は（ｃ）の変形例を示す部分拡大断面図である。
導光表示板１は、アクリル等の透明な部材で形成された導光板１１と、導光板１１の外周縁近傍の全周に亘って形成された防水部材であるパッキン１５ｃの嵌装溝１７ａと、この嵌装溝１７ａの内側に形成されたＬＥＤ等の発光体１２を収容するための有底の発光体収容溝１３と、パッキン１５ｃを嵌装溝１７ａに嵌め込んだ状態で導光板１１とで挟持して保持する挟持板１５とを有する。
【００１１】
このような構成の導光表示板１においては、図２（ａ）に示すように発光体収容溝１３の底部と導光板１１の表面との間に一定の間隙があるため、図中の矢印Ｉで示すように発光体１２の照明光が前記間隙を通って導光板１１の反対側の端部にまで達することができ、導光板１１の全体を発光させることが可能である。
【００１２】
この実施形態では、挟持板１５は導光板１１とほぼ同じ大きさに形成され、ボルトなどによって導光板１１の裏面に取り付けられる。画像部１４は、挟持板１５の表面、導光板１１の表面又は挟持板１５と導光板１１との間に形成される。また、画像部１４の背面には反射板１９を設けてもよい。挟持板１５の嵌装溝１７ａに対応する部位には、パッキン１５ｃが嵌装される嵌装溝１７ｂが形成され、嵌装溝１７ａと嵌装溝１７ｂとにパッキン１５ｃを嵌装させた状態で挟持板１５を導光板１１に取り付けることで、挟持板１５と導光板１１との境界面に水が浸入しないようにする防水構造が構成される。
【００１３】
挟持板１５の発光体収容溝１３に対応する部分から内側に向けて有底の放熱溝１５ａが形成されている。そして、図１及び図２（ａ）に示すように、この放熱溝１５ａから発光体収容溝１３に向けて断面Ｌ字状の放熱部材１６が設けられている。放熱部材１６を構成する一方の放熱板１６ａは発光体収容溝１３内に挿入されて発光体１２に接触し、他方の放熱板１６ｂは放熱溝１５ａの底部近傍に位置していている。発光体１２から放熱板１６ａによって回収された熱は、放熱板１６ｂに伝達され、放熱溝１５ａの薄肉の底部から外部に放熱される。
【００１４】
図２（ｂ）は放熱部分の他の実施形態を示す部分拡大断面図である。
この実施形態では、放熱溝１５ａの底部に熱伝導性に優れる金属などで形成された第二の放熱部材である放熱部材１８が埋設されていて、放熱板１６ｂの熱が当該放熱部材１８から外部へ放熱されるようになっている。図示するように放熱板１６ｂを放熱部材１８に密着させることで放熱効率が高くなる。
図２（ｃ）は導光表示板の他の実施形態を示す部分拡大断面図である。
この実施形態では、導光板１１の端縁１１ａが斜めにカットされているとともに、放熱板１６ａの表裏両側に発光体１２，１２が設けられていて、外側を向く一方の発光体１２からの照明光が端縁１１ａで反射されて端縁１ａを明るく発光させることができる。
図２（ｄ）は図２（ｃ）の導光表示板の変形例にかかるもので、発光体収容溝１３より外側の導光板１１の表面に溝を形成してこの溝に遮光部材１９を埋設している。また、発光体収容溝１３内の一方の放熱板１６ａの先端を発光体収容溝１３の底部まで延ばしている。このようにすることで、例えば内側を向く他方の発光体１２が単色ＬＥＤで、外側を向く一方の発光体１２が多色ＬＥＤであるような場合に、他方の発光体１２の照明光と一方の発光体１２の照明光とが混色しないようにすることができる。
【００１５】
図３は、放熱部分のさらに他の実施形態を示す部分拡大断面図である。
この実施形態では二枚の導光板１１，１１を積層し、導光板１１，１１の間の境界面に画像部１４が形成される。この実施形態では、一方の導光板１１が挟持板１５として機能する（そのため図では１１（１５）として記載する）。また、導光板１１，１１の同じ位置には同じ形状の溝が形成されていて、この溝が導光板１１，１１を積層したときに発光体収容溝１３を構成する。発光体収容溝１３には、発光体１２の中心が導光板１１，１１の境界面に位置するように収容され、発光体１２の照明光によって導光表示板１の表裏両面に画像が表示されるようにしてある。導光板１１，１１のそれぞれで異なる画像部１４を形成することで、表裏両面に表示される画像を異なるものとすることができる。
この実施形態において放熱部材１６は断面コの字状に形成され、コの字状の底部を構成する放熱板１６ａに接触するように発光体１２が配置され、発光体収容溝１３の底部に沿って放熱板１６ｂが配置されている。そして発光体収容溝１３の底部から発光体１２の熱が外部へ放熱されるようになっている。すなわち、この実施形態では、発光体収容溝１３が放熱溝１５ａとして機能する。
【００１６】
図４は、導光表示板の放熱構造のさらに他の実施形態を示す図である。
導光表示板１を常に立てて設置する場合は、パッキン１５ｃの下方は開放してもよい。図４（ａ）はこの実施形態の導光表示板の正面図、（ｂ）は側面断面図である。
この実施形態の導光表示板１では、導光板１１の下方にのみ発光体収容溝１３が形成されていて、その両側面及び上方を囲むようにパッキン１５ｃが配置されている。パッキン１５ｃが開放している部分を挿通して、発光体収容溝１３から連通する放熱溝１５ａが形成されている。放熱溝１５ａは導光板１１の下端で開口し、この放熱溝１５ａに放熱板１６ｂが配置される。さらに放熱板１６ｂの一部は導光板１１の下端開口から下方に延出している。
この構成によれば、発光体１２の熱は、導光板１１から外部に延出する放熱板１６ｂを介して効率よく外部に放出することができる。
【００１７】
本発明の好適な実施形態について説明したが、本発明は上記の説明に限定されるものではない。
例えば、本発明の導光表示板においては、反射板１４は必ずしも必要ではなく、近年拡がりつつある反射板の無い透明導光表示板にも適用が可能である。
また、矩形の導光表示板を例に挙げて説明したが、本発明の放熱構造は矩形に限らず円形や楕円形、不定形状などあらる形状の導光表示板に適用が可能である。
なお上記の説明に限らず、挟持板１５の材質は金属、樹脂、ガラス、木材またはこれらの複合体等で形成されていてもよいが、透明又は半透明の材料で形成されるのが好ましい。さらに挟持板１５は、パッキン１５ｃで囲まれた領域を覆うものであればよく、導光板１１と同じ大きさであってもよいし、これより小さいものであってもよい。
【産業上の利用可能性】
【００１８】
本発明の放熱構造は、主として屋外で使用される導光表示板に適用が可能であるが、浴室や乾燥室など湿度が高く結露しやすい屋内で設置される導光表示板にも好適に適用が可能である。
【図面の簡単な説明】
【００１９】
【図１】本発明の第一の実施形態にかかる防水形導光表示板（以下、導光表示板と記載）の放熱構造の構成を説明する分解斜視図である。
【図２】（ａ）は図１の導光表示板の断面図、（ｂ）は放熱部分の他の実施形態を示す部分拡大断面図、（ｃ）はさらに別の実施形態を示す部分拡大断面図、（ｄ）は（ｃ）の変形例を示す部分拡大断面図である。
【図３】放熱部分の他の実施形態を示す部分拡大断面図である。
【図４】導光表示板の放熱構造のさらに他の実施形態を示す図である。
【図５】本発明の従来例にかかる導光表示板の説明図で、（ａ）は導光表示板の本体の分解斜視図、（ｂ）は（ａ）の本体の組立体の側面断面図、（ｃ）は前記本体をケース内に収容した導光表示板の側面断面図である。
【図６】本発明の従来例にかかり、特許文献７に記載の導光表示板（ＬＥＤサインパネル）の概略構成を説明するもので、（ａ）はその分解斜視図、（ｂ）はその断面図である。
【符号の説明】
【００２０】
１          導光表示板（防水形導光表示板）
１１        導光板
１１ａ      端縁
１２        発光体
１３        発光体収容溝
１４        画像部
１５        挟持板
１５ａ      放熱溝
１５ｃ      パッキン（防水部材）
１６        放熱部材
１６ａ，１６ｂ    放熱板
１７ａ      嵌装溝
１８        放熱部材（第二の放熱部材）
１９        遮光部材
【図１】
2019070783.tif 000003
【図２】
2019070783.tif 000004
【図３】
2019070783.tif 000005
【図４】
2019070783.tif 000006
【図５】
2019070783.tif 000007
【図６】
2019070783.tif 000008